(57)【要約】【課題】本発明は、杭に対する柱の設置高さを調整可能にしつつ、杭と柱との杭柱接合構造を単純化することを目的とする。【解決手段】杭柱接合構造１０は、地盤１２に設けられる杭２０と、杭２０の上方に配置される杭側ベースプレート４０と、杭２０に固定され、杭側ベースプレート４０を所定高さで支持する複数のブラケット３０と、杭側ベースプレート４０の上方に配置される柱６０と、杭側ベースプレート４０に設けられ、当該杭側ベースプレート４０と柱６０との間隔Ｄを調整可能に柱６０を支持する複数のスタッドボルト４４及び高さ調整ナット４６と、を備える。【選択図】図１
2020070569.tif 000002
【特許請求の範囲】
【請求項１】
地盤に設けられる杭と、
前記杭の上方に配置されるベース部材と、
前記杭に固定され、前記ベース部材を所定高さで支持する支持部材と、
前記ベース部材の上方に配置される柱と、
前記ベース部材に設けられ、該ベース部材と前記柱との間隔を調整可能に前記柱を支持する高さ調整部材と、
を備える杭柱接合構造。
【請求項２】
前記支持部材は、前記杭の周方向に間隔を空けて該杭に複数固定されている、
請求項１に記載の杭柱接合構造。
【請求項３】
前記支持部材は、
前記杭の杭頭部から上方へ延出される支柱部と、
前記支柱部の上端部から前記杭の外側へ延出され、上面に前記ベース部材が載置される受け部と、
を有し、
前記受け部は、前記支柱部の前記上端部から前記ベース部材の外周部よりも外側へ延出される、
請求項２に記載の杭柱接合構造。
【請求項４】
杭に支持部材を介して支持されるベース部材の設置高さが所定高さになるように、前記杭に対する前記支持部材の上下方向の固定位置を調整する第一高さ調整工程と、
前記ベース部材に高さ調整部材を介して支持される柱の設置高さが所定高さになるように、前記高さ調整部材によって前記ベース部材と前記柱との上下方向の間隔を調整する第二高さ調整工程と、
を備える杭柱接合構造の施工方法。
【発明の詳細な説明】
【技術分野】
【０００１】
本発明は、杭柱接合構造、及び杭柱接合構造の施工方法に関する。
【背景技術】
【０００２】
基礎杭と鉄骨柱とを接合する支持金物であって、杭頭部に取り付けられる鉛直固定ボルトと、鉄骨柱に取り付けられる高さ調整ボルトとを備える支持金物が開示されている（例えば、特許文献１参照）。
【先行技術文献】
【特許文献】
【０００３】
【特許文献１】特開２００２−１４６８００号公報
【発明の概要】
【発明が解決しようとする課題】
【０００４】
しかしながら、特許文献１に開示された支持金物は、鉛直固定ボルト及び高さ調整ボルトの２つの調整ボルトによって鉄骨柱の設置高さを調整するため、基礎杭と鉄骨柱との接合構造が複雑化する可能性がある。
【０００５】
本発明は、上記の事実を考慮し、杭に対する柱の設置高さを調整可能にしつつ、杭と柱との杭柱接合構造を単純化することを目的とする。
【課題を解決するための手段】
【０００６】
請求項１に記載の杭柱接合構造は、地盤に設けられる杭と、前記杭の上方に配置されるベース部材と、前記杭に固定され、前記ベース部材を所定高さで支持する支持部材と、前記ベース部材の上方に配置される柱と、前記ベース部材に設けられ、該ベース部材と前記柱との間隔を調整可能に前記柱を支持する高さ調整部材と、を備える。
【０００７】
請求項１に係る杭柱接合構造によれば、杭は、地盤に設けられる。この杭の上方には、ベース部材が配置される。ベース部材は、杭に固定された支持部材によって所定高さで支持される。また、ベース部材の上方には、柱が配置される。この柱は、ベース部材に設けられた高さ調整部材によって支持される。つまり、柱は、高さ調整部材、ベース部材、及び支持部材を介して杭に支持される。
【０００８】
ここで、杭に対する支持部材の上下方向の固定位置を調整することにより、支持部材によってベース部材が所定高さで支持される。このように杭に対する支持部材の上下方向の固定位置を調整することにより、例えば、杭の杭頭高さの施工誤差等を吸収することができる。
【０００９】
また、高さ調整部材は、ベース部材と柱との間隔を調整可能に柱を支持する。この高さ調整部材によって、ベース部材と柱との間隔を調整することにより、柱の設置高さが所定高さに調整される。
【００１０】
このように本発明では、支持部材及び高さ調整部材の２つの部材によって柱の設置高さを段階的に調整することができる。したがって、柱の設置高さを容易に調整することができる。
【００１１】
また、前述したように、杭に対する支持部材の上下方向の固定位置を調整することにより、ベース部材の設置高さが所定高さに調整される。したがって、本発明は、調整ボルトによってベース部材の設置高さを所定高さに調整する構成と比較して、杭柱接合構造を単純化することができる。
【００１２】
このように本発明では、杭に対する柱の設置高さを調整可能にしつつ、杭と柱との杭柱接合構造を単純化することができる。
【００１３】
請求項２に記載の杭柱接合構造は、請求項１に記載の杭柱接合構造において、前記支持部材は、前記杭の周方向に間隔を空けて該杭に複数固定されている。
【００１４】
請求項２に係る杭柱接合構造によれば、支持部材が、杭の周方向の間隔を空けて杭に複数固定される。そして、複数の支持部材によって、ベース部材が支持される。
【００１５】
このように複数の支持部材によってベース部材を支持することにより、ベース部材をより確実に支持することができるとともに、ベース部材の水平度を調整することができる。
【００１６】
請求項３に記載の杭柱接合構造は、請求項２に記載の杭柱接合構造において、前記支持部材は、前記杭の杭頭部から上方へ延出される支柱部と、前記支柱部の上端部から前記杭の外側へ延出され、上面に前記ベース部材が載置される受け部と、を有し、前記受け部は、前記支柱部の前記上端部から前記ベース部材の外周部よりも外側へ延出される。
【００１７】
請求項３に係る杭柱接合構造によれば、複数の支持部材は、支柱部と、受け部とをそれぞれ有する。各支柱部は、杭の杭頭部から上方へ延出される。また、各受け部は、各支柱部の上端部から杭の外側へ延出される。これらの受け部の上面にベース部材が載置される。
【００１８】
ここで、複数の受け部の上面にベース部材を載置する際に、ベース部材を水平方向に移動させることにより、杭に対するベース部材の水平位置を容易に調整することができる。これにより、例えば、杭の水平方向（平面位置）の施工誤差を吸収することができる。したがって、施工性が向上する。
【００１９】
また、各受け部は、各支柱部の上端部からベース部材の外周部よりも外側へ延出される。これにより、例えば、ベース部材の外周部を受け部の上面に溶接等によって固定することができる。したがって、ベース部材の位置ずれが抑制される。また、ベース部材の上側から、当該ベース部材の外周部を受け部の上面に溶接することができるため、施工性（溶接性）が向上する。
【００２０】
請求項４に記載の杭柱接合構造の施工方法は、杭に支持部材を介して支持されるベース部材の設置高さが所定高さになるように、前記杭に対する前記支持部材の上下方向の固定位置を調整する第一高さ調整工程と、前記ベース部材に高さ調整部材を介して支持される柱の設置高さが所定高さになるように、前記高さ調整部材によって前記ベース部材と前記柱との上下方向の間隔を調整する第二高さ調整工程と、を備える。
【００２１】
請求項４に係る杭柱接合構造の施工方法によれば、第一高さ調整工程において、杭に支持部材を介して支持されるベース部材の設置高さが所定高さになるように、杭に対する支持部材の上下方向の固定位置を調整する。これにより、例えば、杭の杭頭高さの施工誤差等を吸収することができる。
【００２２】
次に、第二高さ調整工程において、ベース部材に高さ調整部材を介して支持される柱の設置高さが所定高さになるように、高さ調整部材によってベース部材と柱との上下方向の間隔を調整する。これにより、柱の設置高さを調整することができる。
【００２３】
このように本発明では、第一高さ調整工程及び第二高さ調整工程によって、柱の設置高さを段階的に調整する。したがって、柱の設置高さを容易に調整することができる。
【００２４】
また、第一高さ調整工程において、杭に対する支持部材の上下方向の固定位置を調整することにより、ベース部材の設置高さが所定高さに調整される。したがって、本発明は、調整ボルトによってベース部材の設置高さを所定高さに調整する構成と比較して、杭柱接合構造を単純化することができる。
【００２５】
このように本発明では、杭に対する柱の設置高さを調整可能にしつつ、杭と柱との杭柱接合構造を単純化することができる。
【発明の効果】
【００２６】
以上説明したように、本発明によれば、杭に対する柱の設置高さを調整可能にしつつ、杭と柱との杭柱接合構造を単純化することができる。
【図面の簡単な説明】
【００２７】
【図１】一実施形態に係る杭柱接合構造が適用された杭及び柱を示す縦断面図である。
【図２】一実施形態に係る杭柱接合構造の施工方法を説明する縦断面図である。
【図３】図２に示される杭側ベースプレートを示す平面図である。
【図４】一実施形態に係る杭柱接合構造の施工方法を説明する縦断面図である。
【図５】一実施形態に係る杭柱接合構造の施工方法を説明する縦断面図である。
【発明を実施するための形態】
【００２８】
以下、図面を参照しながら、一実施形態に係る杭柱接合構造について説明する。
【００２９】
図１には、本実施形態に係る杭柱接合構造１０が適用された杭２０及び柱６０が示されている。杭２０は、円筒状に形成されたコンクリート杭（既成コンクリート杭）とされており、地盤１２に打設されている。
【００３０】
図１及び図２に示されるように、杭２０の杭頭部２０Ｈの周囲には、掘削部１４が形成されている。掘削部１４は、杭頭部２０Ｈの周囲の地盤１２を掘り下げることにより形成されている。この掘削部１４の掘削底１４Ｌから杭頭部２０Ｈが上方へ突出されている。また、杭頭部２０Ｈの外周面は、掘削部１４に露出されている。この杭頭部２０Ｈの外周面には、固定用プレート２２が取り付けられている。
【００３１】
固定用プレート２２は、鋼板等の金属板によって筒状に形成されている。また、固定用プレート２２は、杭頭部２０Ｈを囲んだ状態で杭頭部２０Ｈの外周面に固定されている。この固定用プレート２２には、複数のブラケット３０が固定されている。なお、ブラケット３０は、支持部材の一例である。
【００３２】
複数のブラケット３０は、Ｌ字形状に屈曲された金属板（アングル）によって形成されている。これらのブラケット３０は、杭頭部２０Ｈの周方向に間隔を空けて配置されている。各ブラケット３０は、支柱部３２及び受け部３４を有している。
【００３３】
支柱部３２は、板状に形成されており、長手方向を杭２０の軸方向として配置されている。この支柱部３２の下端側は、溶接等によって固定用プレート２２の外面に固定されている。また、支柱部３２の上端側は、杭頭部２０Ｈの上端から上方へ延出されている。この支柱部３２の上端部には、受け部３４が設けられている。
【００３４】
受け部３４は、支柱部３２の上端部から杭２０の外側へ延出されている。また、受け部３４は、板状に形成されており、厚さ方向を上下方向として配置されている。この受け部３４の上面３４Ｕに、杭側ベースプレート４０が載置されている。なお、杭側ベースプレート４０は、ベース部材の一例である。
【００３５】
図３に示されるように、杭側ベースプレート４０は、平面視にて、矩形状の金属板によって形成されている。この杭側ベースプレート４０は、各ブラケット３０の受け部３４の上面３４Ｕに載置されている。これらのブラケット３０によって、杭側ベースプレート４０が所定高さで支持されている。より具体的には、複数のブラケット３０によって、杭頭部２０Ｈに対する杭側ベースプレート４０の高さｈ１（図１参照）が所定高さに調整されている。
【００３６】
受け部３４は、支柱部３２の上端部から杭側ベースプレート４０の外周部４０Ａよりも外側へ延出されている。これにより、受け部３４の上面３４Ｕに、杭側ベースプレート４０の外周部４０Ａを溶接するための溶接代が確保されている。この受け部３４の上面３４Ｕには、杭側ベースプレート４０の外周部４０Ａが溶接されている。
【００３７】
杭側ベースプレート４０の中央部には、打設孔４２が形成されている。打設孔４２は、杭側ベースプレート４０を厚み方向に貫通する円形状の貫通孔とされている。また、打設孔４２は、杭２０上に配置されている。これにより、打設孔４２を介して、杭２０の内部にコンクリート（中詰コンクリート）が打設可能とされている。なお、打設孔４２の直径は、杭２０の内径よりも小さくされている。
【００３８】
杭頭部２０Ｈには、ベースコンクリート５０が設けられている。ベースコンクリート５０は、コンクリートによって盤状に形成されている。また、ベースコンクリート５０は、平面視にて、矩形状に形成されるとともに、杭側ベースプレート４０よりも大きくされている。このベースコンクリート５０の中央部に、杭頭部２０Ｈ、複数のブラケット３０、及び杭側ベースプレート４０が埋設されている。
【００３９】
図１に示されるように、ベースコンクリート５０は、充填コンクリート部５０Ａと、外側コンクリート部５０Ｂとを有している。充填コンクリート部５０Ａは、前述した杭側ベースプレート４０の打設孔４２から、杭頭部２０Ｈの内部、杭頭部２０Ｈと杭側ベースプレート４０との隙間、及び打設孔４２内にコンクリートを充填することにより形成されている。
【００４０】
外側コンクリート部５０Ｂは、杭頭部２０Ｈの周囲に仮設された図示しない型枠内にコンクリートを打設することにより形成されている。このベースコンクリート５０によって、杭頭部２０Ｈ、複数のブラケット３０、及び杭側ベースプレート４０が一体化されている。
【００４１】
ベースコンクリート５０の上部には、杭側ベースプレート４０が埋設されている。杭側ベースプレート４０の上面４０Ｕは、ベースコンクリート５０の上面から露出されている。この杭側ベースプレート４０の上面４０Ｕにおける打設孔４２の周囲には、複数のスタッドボルト４４が立てられている。
【００４２】
複数のスタッドボルト４４は、打設孔４２の周方向に間隔を空けて配置されている。各スタッドボルト４４は、杭側ベースプレート４０の上面４０Ｕに立てられており、その下端部が溶接等によって杭側ベースプレート４０の上面４０Ｕに固定されている。
【００４３】
杭側ベースプレート４０の上には、鉄骨造の柱６０が立てられている。柱６０は、角形鋼管や丸形鋼管によって形成されている。また、柱６０の下端部には、柱側ベースプレート６２が取り付けられている。なお、柱は、Ｈ形鋼やＣ形鋼等で形成されても良い。
【００４４】
柱側ベースプレート６２は、平面視にて矩形状の金属板等によって形成されている。この柱側ベースプレート６２の上面における中央部に、柱６０の下端部が溶接等によって固定されている。また、柱側ベースプレート６２は、杭側ベースプレート４０と上下方向に対向して配置されている。
【００４５】
柱側ベースプレート６２の外周部には、複数の取付孔６４が形成されている。複数の取付孔６４は、柱側ベースプレート６２の柱６０の周方向に間隔を空けて配置されている。各取付孔６４は、柱側ベースプレート６２を厚み方向に貫通する円形状の貫通孔とされている。これらの取付孔６４には、杭側ベースプレート４０に立てられた複数のスタッドボルト４４がそれぞれ挿入されている。
【００４６】
複数のスタッドボルト４４には、高さ調整ナット４６がそれぞれ取り付けられている。各高さ調整ナット４６の上面には、柱側ベースプレート６２の取付孔６４の周縁部が係合（載置）される。
【００４７】
ここで、スタッドボルト４４に対する高さ調整ナット４６の締め込み量によって、柱側ベースプレート６２と杭側ベースプレート４０との間隔Ｄが調整される。換言すると、スタッドボルト４４に対する高さ調整ナット４６の締め込み量によって、杭側ベースプレート４０に対する柱側ベースプレート６２（柱６０）の設置高さｈ２が調整される。さらに、各スタッドボルト４４に対する高さ調整ナット４６の締め込み量によって、柱側ベースプレート６２の水平姿勢（水平度）が調整される。
【００４８】
なお、スタッドボルト４４及び高さ調整ナット４６は、高さ調整部材の一例である。
【００４９】
各スタッドボルト４４には、柱側ベースプレート６２の上から固定ナット４８が取り付けられている。この固定ナット４８と高さ調整ナット４６とで柱側ベースプレート６２を厚み方向の両側から挟持することにより、柱６０が杭側ベースプレート４０に固定されている。また、柱側ベースプレート６２と杭側ベースプレート４０との間隔Ｄには、モルタル、グラウド等のセメント系充填材６８が充填されている。これにより、柱側ベースプレート６２と杭側ベースプレート４０とが一体化されている。
【００５０】
柱６０の柱脚部には、曲げ伝達プレート６６が設けられている。曲げ伝達プレート６６は、平面視にて矩形状に形成されている。この曲げ伝達プレート６６は、柱６０の外周面から張り出しており、柱側ベースプレート６２と上下方向に対向している。
【００５１】
また、柱６０の柱脚部は、スラブ７０に埋設されている。スラブ７０は、鉄筋コンクリート造とされている。このスラブ７０は、ベースコンクリート５０と曲げ伝達プレート６６との間にコンクリートを打設することにより形成されている。
【００５２】
ここで、柱側ベースプレート６２と曲げ伝達プレート６６との間には、スラブ７０が設けられている。そして、柱側ベースプレート６２と曲げ伝達プレート６６とによって、上下方向の両側からスラブ７０が挟持されている。これにより、地震時に、柱６０に作用する曲げモーメントＭ（図１参照）が、柱側ベースプレート６２及び曲げ伝達プレート６６を介してスラブ７０に伝達される。
【００５３】
（杭柱接合構造の施工方法）
次に、杭柱接合構造の施工方法の一例について説明する。
【００５４】
図２には、地盤１２に設けられた杭２０が示されている。杭２０の杭頭部２０Ｈの外周面は、掘削部１４に露出されている。この状態から、先ず、第一高さ調整工程において、杭頭部２０Ｈに対する杭側ベースプレート４０の高さｈ１（図１参照）が所定高さになるように、杭２０の杭頭部２０Ｈに複数のブラケット３０を介して杭側ベースプレート４０を取り付ける。
【００５５】
具体的には、杭頭部２０Ｈの外周面に固定された固定用プレート２２の外面に、複数のブラケット３０の支柱部３２を溶接によって固定する。この際、複数のブラケット３０を、杭２０の周方向に間隔を空けるとともに、受け部３４が外側を向くように配置する。また、杭２０に対する杭側ベースプレート４０の設置高さｈ１が所定高さになるように、杭頭部２０Ｈの外周面に対する各ブラケット３０の支柱部３２の上下方向の固定位置（溶接位置）を調整する。なお、ここでいう所定高さは、所定範囲としても良い。
【００５６】
次に、図４に示されるように、複数のブラケット３０の受け部３４の上面３４Ｕに、杭側ベースプレート４０を載置し、杭側ベースプレート４０の外周部４０Ａを溶接等によって各受け部３４の上面３４Ｕに固定する。
【００５７】
なお、杭側ベースプレート４０の上面４０Ｕには、複数のスタッドボルト４４が予め取り付けられている。また、各スタッドボルト４４には、高さ調整ナット４６が予め取り付けられている。
【００５８】
次に、杭頭部２０Ｈの周囲に図示しない型枠を仮設し、外側コンクリート部５０Ｂ用のコンクリートを打設する。また、杭側ベースプレート４０の打設孔４２から杭頭部２０Ｈの内部に、充填コンクリート部５０Ａ用のコンクリートを打設する。これにより、ベースコンクリート５０を形成する。
【００５９】
次に、図５に示されるように、クレーン等によって、柱６０を杭側ベースプレート４０上に配置する。そして、柱６０の柱側ベースプレート６２の複数の取付孔６４に、複数のスタッドボルト４４をそれぞれ挿入し、柱側ベースプレート６２を高さ調整ナット４６の上に載置する。
【００６０】
次に、第二高さ調整工程において、スタッドボルト４４に対する高さ調整ナット４６に締め込み量を調整し、杭側ベースプレート４０に対する柱側ベースプレート６２の設置高さｈ２（図１参照）を所定高さにする。換言すると、スタッドボルト４４に対する高さ調整ナット４６に締め込み量によって、杭側ベースプレート４０と柱側ベースプレート６２との上下方向の間隔Ｄを調整する。また、スタッドボルト４４に対する高さ調整ナット４６に締め込み量によって、柱側ベースプレート６２の水平姿勢（水平度）を調整する。
【００６１】
次に、柱側ベースプレート６２から上方へ突出する複数のスタッドボルト４４に固定ナット４８をそれぞれ取り付け、杭側ベースプレート４０に柱側ベースプレート６２を固定する。また、図１に示されるように、杭側ベースプレート４０と柱側ベースプレート６２との間にセメント系充填材６８を充填し、杭側ベースプレート４０及び柱側ベースプレート６２を一体化する。
【００６２】
次に、ベースコンクリート５０上に図示しないスラブ筋を配筋し、スラブ７０用のコンクリートを打設する。この際、スラブ７０用のコンクリートは、少なくとも柱６０の曲げ伝達プレート６６の下面まで打設する。これにより、スラブ７０を形成する。
【００６３】
このように本実施形態に係る杭柱接合構造の施工方法によれば、第一高さ調整工程及び第二高さ調整工程によって、柱６０の設置高さｈ２を段階的に調整する。したがって、柱６０の設置高さｈ２を容易に調整することができる。
【００６４】
（作用）
次に、本実施形態の作用について説明する。
【００６５】
本実施形態に係る杭柱接合構造１０によれば、杭２０は、地盤１２に設けられている。この杭２０の上方には、杭側ベースプレート４０が配置されている。杭側ベースプレート４０は、杭２０の杭頭部２０Ｈに固定された複数のブラケット３０によって所定高さで支持される。
【００６６】
また、杭側ベースプレート４０の上方には、柱６０が配置されている。柱６０は、杭側ベースプレート４０に設けられた複数のスタッドボルト４４及び高さ調整ナット４６によって支持されている。つまり、柱６０は、スタッドボルト４４、高さ調整ナット４６、杭側ベースプレート４０、及びブラケット３０を介して杭頭部２０Ｈに支持されている。
【００６７】
ここで、杭２０に対する複数のブラケット３０の上下方向の固定位置を調整することにより、杭側ベースプレート４０が所定高さｈ１で支持される。このように杭２０に対する複数のブラケット３０の上下方向の固定位置を調整することにより、例えば、杭２０の杭頭高さの施工誤差等を吸収することができる。
【００６８】
また、複数の複数のブラケット３０によってベースプレート４０を支持することにより、ベースプレート４０をより確実に支持することができるとともに、ベースプレート４０の水平度を調整することができる。
【００６９】
また、柱６０は、複数のスタッドボルト４４に取り付けられた高さ調整ナット４６によって、支持されている。これらの高さ調整ナット４６によって、杭側ベースプレート４０と柱側ベースプレート６２との間隔Ｄを調整することにより、柱６０の設置高さｈ１が所定高さに調整される。
【００７０】
このように本実施形態では、複数のブラケット３０、複数のスタッドボルト４４及び高さ調整ナット４６によって、柱６０の設置高さｈ２を段階的に調整することができる。したがって、柱６０の設置高ｈ２さを容易に調整することができる。
【００７１】
また、前述したように、杭２０に対する複数のブラケット３０の上下方向の固定位置を調整することにより、杭側ベースプレート４０の設置高さｈ１が所定高さに調整される。したがって、本実施形態では、調整ボルトによって杭側ベースプレート４０の設置高さｈ１を所定高さに調整する構成と比較して、杭柱接合構造１０を単純化することができる。
【００７２】
このように本実施形態では、杭２０に対する柱６０の設置高さｈ２を調整可能にしつつ、杭２０と柱６０との杭柱接合構造１０を単純化することができる。
【００７３】
また、本実施形態では、複数のブラケット３０の受け部３４の上面３４Ｕ上に杭側ベースプレート４０が載置される。そのため、受け部３４の上面３４Ｕ上に杭側ベースプレート４０を載置する際に、杭側ベースプレート４０を水平方向に移動させることにより、杭２０に対する杭側ベースプレート４０の水平位置を容易に調整することができる。これにより、例えば、杭２０の水平方向（平面位置）の施工誤差を吸収することができる。したがって、施工性がさらに向上する。
【００７４】
さらに、各受け部３４は、支柱部３２の上端部から杭側ベースプレート４０の外周部よりも外側へ延出されている。これにより、杭側ベースプレート４０の外周部４０Ａを、受け部３４の上面３４Ｕに溶接等によって容易に固定することができる。したがって、杭側ベースプレート４０の位置ずれが抑制される。また、杭側ベースプレート４０の上側から、当該杭側ベースプレート４０の外周部４０Ａを受け部３４の上面３４Ｕに溶接することができるため、施工性（溶接性）が向上する。
【００７５】
また、柱６０の柱脚部には、曲げ伝達プレート６６が設けられている。この曲げ伝達プレート６６と柱側ベースプレート６２とによって、上下方向の両側からスラブ７０が挟持されている。これにより、地震時に、柱６０に作用する曲げモーメントＭが、柱側ベースプレート６２及び曲げ伝達プレート６６を介してスラブ７０に伝達される。そのため、本実施形態では、地震時に柱６０に作用する曲げモーメントＭを杭２０に伝達する必要がない。したがって、杭柱接合構造１０をさらに単純化することができる。
【００７６】
（変形例）
次に、上記実施形態の変形例について説明する。
【００７７】
上記実施形態では、杭２０が、円筒状のコンクリート杭とされるが、上記実施形態はこれに限らない。杭は、円柱状のコンクリート杭であっても良い。また、杭は、鋼製杭であっても良い。なお、鋼製杭の場合には、固定用プレート２２を省略し、鋼製杭の杭頭部に複数のブラケット３０を直接的に溶接等によって固定することができる。
【００７８】
また、ブラケット３０の数や配置、形状等は、適宜変更可能である。また、支持部材は、ブラケット３０に限らず、例えば、杭頭部に取り付けられる架台等であっても良い。
【００７９】
また、杭側ベースプレート４０の形状等は適宜変更可能である。また、ベース部材は、杭側ベースプレート４０に限らず、例えば、コンクリート板等であっても良い。また、ベースコンクリート５０は、ベース部材の種類に応じて適宜変更又は省略可能である。
【００８０】
また、スタッドボルト４４の数や配置等は、適宜変更可能である。また、高さ調整部材は、スタッドボルト４４及び高さ調整ナット４６に限らず、例えば、ボルト部材（スタッドボルトを含む）及びナットであっても良いし、杭側ベースプレート４０と柱側ベースプレート６２との間に、積層された状態で配置される複数の高さ調整プレートであっても良い。
【００８１】
また、上記実施形態では、柱６０が鉄骨造とされるが、上記実施形態はこれに限らない。柱は、例えば、プレキャストコンクリート造等であっても良い。
【００８２】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８３】
１０    杭柱接合構造
１２    地盤
２０    杭
２０Ｈ  杭頭部
３０    ブラケット（支持部材）
３２    支柱部
３４    受け部
３４Ｕ  上面（受け部の上面）
４０    杭側ベースプレート（ベース部材）
４４    スタッドボルト（高さ調整部材）
４６    高さ調整ナット（高さ調整部材）
６０    柱
Ｄ      間隔（ベース部材と柱との間隔）
【図１】
2020070569.tif 000003
【図２】
2020070569.tif 000004
【図３】
2020070569.tif 000005
【図４】
2020070569.tif 000006
【図５】
2020070569.tif 000007